(57)【特許請求の範囲】
【請求項１】
プログラムエリアに記録した記録データに関するトラック情報をその記録データのトラックの記録が終了される際に一時的に記録するトラック情報記憶エリアに記録し、記録データの記録領域をリードインとリードアウトによってクローズ処理する際に前記トラック情報記憶エリアに記録されているトラック情報に基づいてＴＯＣデータを生成し、そのＴＯＣデータをリードイン領域に記録する形態のディスク記録装置であって、プログラムエリアに記録する記録データに関するトラック情報を管理するトラック情報管理手段と、該トラック情報管理手段により管理されるトラック情報が記憶されるトラック情報メモリと、前記トラック情報記憶エリアの記録中のエラーを検出し、記録不能状態を判断する記録不能判断手段と、該記録不能判断手段による記録不能判断に応じてクローズ処理の実行を制御するクローズ制御手段とを備え、前記記録不能判断手段は、未記録ディスクに予め記録されている既記録アドレスの同期信号が検出されるタイミングとディスクに記録する記録データに含まれているサブコードの同期信号が発生されるタイミングとの時間ズレを計測し、計測された時間ズレが予め設定された許容範囲を外れることによりトラック情報記憶エリアの記録中のエラーを検出し、前記記録不能判断手段により前記トラック情報記憶エリアの記録中のエラーが検出された際にそのトラック情報記憶エリアへの記録を中止し、前記トラック情報メモリに記憶されるトラック情報をＴＯＣデータとして直接リードイン領域に記録してプログラムエリアに記録された記録データの記録領域を強制的にクローズ処理することを特徴とするディスク記録装置。
【請求項２】
プログラムエリアに記録した記録データに関するトラック情報をその記録データのトラックの記録が終了される際に一時的に記録するトラック情報記憶エリアに記録し、記録データの記録領域をリードインとリードアウトによってクローズ処理する際に前記トラック情報記憶エリアに記録されているトラック情報に基づいてＴＯＣデータを生成し、そのＴＯＣデータをリードイン領域に記録する形態のディスク記録装置であって、プログラムエリアに記録する記録データに関するトラック情報を管理するトラック情報管理手段と、該トラック情報管理手段により管理されるトラック情報が記憶されるトラック情報メモリと、前記トラック情報記憶エリアの記録中のエラーを検出し、記録不能状態を判断する記録不能判断手段と、該記録不能判断手段による記録不能判断に応じてクローズ処理の実行を制御するクローズ制御手段とを備え、前記記録不能判断手段は、未記録ディスクに予め記録されている既記録アドレスのエラーを検出してトラック情報記憶エリアの記録中のエラーを検出し、前記記録不能判断手段により前記トラック情報記憶エリアの記録中のエラーが検出された際にそのトラック情報記憶エリアへの記録を中止し、前記トラック情報メモリに記憶されるトラック情報をＴＯＣデータとして直接リードイン領域に記録してプログラムエリアに記録された記録データの記録領域を強制的にクローズ処理することを特徴とするディスク記録装置。
【発明の詳細な説明】
【０００１】
【発明の属する技術分野】
本発明は、プログラムエリアに記録した記録データに関するトラック情報をその記録データの記録領域をクローズするまでにトラック情報記憶エリアに一時的に記録し、クローズ処理の際にそのトラック情報記憶エリアに記録されているトラック情報をＴＯＣデータとしてリードイン領域に記録する形態のディスク記録装置に関する。
【０００２】
【従来の技術】
光学ヘッドから光ビームを照射することで光ディスクの記録層の反射率を変化させて記録を行う光ディスク記録装置が知られており、このような光ディスク記録装置としては、１度記録したデータを物理的に消去することが出来ない、いわゆるライトワンス（write-once）メディアを取り扱ったものとしてＣＤ（Compact Disc）ファミリーのＣＤ−Ｒ（Recordable）ドライブ装置が良く知られている。
【０００３】
ＣＤ−Ｒの記録フォーマットには、ディスクにおける実際の記録データを記録するプログラムエリアの内周側に内周に向かってＰＭＡ（Program Memory Area）及びＰＣＡ（Power Calibration Area）が順次形成されるデータ構造が規定されている。
【０００４】
前記ＰＭＡはプログラムエリアに記録した記録データに関するトラック情報をその記録データの記録領域（例えばセッション）をクローズするまでに一時的に記録するトラック情報記憶領域となっており、一方、前記ＰＣＡは記録時における光学ヘッドから出射される発光出力の最適記録レベルの設定を行うための試し書き領域となっている。
【０００５】
ところで、ＣＤ−Ｒドライブ装置は、ディスクに記録した記録データの記録領域の前後にリードイン及びリードアウトをそれぞれ形成してクローズ処理し、そのクローズ処理の際にＰＭＡに記録されているトラック情報に基づいてリードイン領域にＴＯＣ（Table Of Contents）データを記録する形態となっている。
【０００６】
その為、リードイン領域にＴＯＣデータが記録できないと、記録データの記録領域がクローズされず、その記録領域の記録データが再生できなくなる問題がある。
【０００７】
ＴＯＣデータが記録できない重大な原因の一つにＰＭＡへのトラック情報の記録を失敗することが挙げられる。
【０００８】
【発明が解決しようとする課題】
従来のＣＤ−Ｒドライブ装置において、多くはＰＭＡへのトラック情報の記録エラーが発生した際の対策を何ら講じていないので、ＰＭＡへのトラック情報の記録を失敗した際にはそのトラック情報に対応する記録データの記録領域の再生が行えなくなってしまった。
【０００９】
また、特開平９−８２０３９号公報に示される如く、ＰＭＡへのトラック情報の記録失敗を修復するようにしたＣＤ−Ｒドライブ装置も提案されているが、その修復のためには記録失敗位置を検索し、その記録失敗位置からトラック情報を記録して記録失敗の前後でトラック情報が連続的に記録されるようにする必要がある。
【００１０】
記録失敗の前後でトラック情報が連続的に記録されるようにするには、記録失敗位置の検索を高精度に行う必要があると共に、記録失敗位置からの記録の立ち上げを高精度に行う必要があり、高精度の制御が必要であり、実現が困難であると共に、コスト高の要因となった。
【００１１】
【課題を解決するための手段】
請求項１にかかる発明は、トラック情報記憶エリアの記録中のエラーを検出し、記録不能状態を判断する記録不能判断手段と、該記録不能判断手段による記録不能判断に応じてクローズ処理の実行を制御するクローズ制御手段とを備え、前記記録不能判断手段により未記録ディスクに予め記録されている既記録アドレスの同期信号が検出されるタイミングとディスクに記録する記録データに含まれているサブコードの同期信号が発生されるタイミングとの時間ズレが計測され、この計測された時間ズレが予め設定された許容範囲を外れることによりトラック情報記憶エリアの記録中のエラーが検出され、前記記録不能判断手段により前記トラック情報記憶エリアの記録中のエラーが検出された際にそのトラック情報記憶エリアへの記録を中止し、トラック情報メモリに記憶されるトラック情報をＴＯＣデータとして直接リードイン領域に記録してプログラムエリアに記録された記録データの記録領域を強制的にクローズ処理するようにする。これによりクローズされた同一記録領域内に新たなトラックの記録データを追記することを犠牲にして今までに記録された記録データが再生不能となる事態を回避するようにしている。
請求項２にかかる発明は、トラック情報記憶エリアの記録中のエラーを検出し、記録不能状態を判断する記録不能判断手段と、該記録不能判断手段による記録不能判断に応じてクローズ処理の実行を制御するクローズ制御手段とを備え、前記記録不能判断手段により未記録ディスクに予め記録されている既記録アドレスのエラーを検出してトラック情報記憶エリアの記録中のエラーを検出し、前記記録不能判断手段により前記トラック情報記憶エリアの記録中のエラーが検出された際にそのトラック情報記憶エリアへの記録を中止し、トラック情報メモリに記憶されるトラック情報をＴＯＣデータとして直接リードイン領域に記録してプログラムエリアに記録された記録データの記録領域を強制的にクローズ処理するようにする。これによりクローズされた同一記録領域内に新たなトラックの記録データを追記することを犠牲にして今までに記録された記録データが再生不能となる事態を回避するようにしている。
【００１２】
【実施例】
図１は本発明に係るディスク記録装置としてＣＤ−Ｒドライブの一実施例を示す回路ブロック図である。
【００１３】
図１において、１はディスクの信号トラックをトレースするレーザービームを出射し、ディスクに対して記録データの書き込み及び読み取りを行う光学ヘッドである。
【００１４】
２は前記光学ヘッド１により得られる受光出力のＲＦ信号（ラジオ周波信号）を増幅し、そのＲＦ信号を２値化するＲＦアンプ、３はＲＦアンプ２から出力されるＲＦ信号の２値化データをビットクロックに同期してＣＤ方式に規定のデータ構造に対応してデコード処理するデコーダである。
【００１５】
４は接続端子５を介して外部に接続されるパソコンやオーディオソース機器等のホスト機器とのデータの受け渡しを制御するインタフェース、６は該インタフェース４に入力される入力データをディスクに記録するＣＤ方式に規定されるデータ構造の記録データに変調するエンコーダである。
【００１６】
７はインタフェース４により入力される入力データをキャッシュし、エンコーダ６によってディスクに記録する記録データに変調処理する際に使用されると共に、ディスクから読み取ったデータをキャッシュし、デコーダ３によってそのデータを復調処理する際に使用されるバッファＲＡＭである。
【００１７】
８は前記エンコーダ６から出力される記録データに基づいて光学ヘッド１から発生させるレーザービームを制御する制御出力を発生するヘッド出力制御回路、９は該ヘッド出力制御回路８からの制御出力に応じてディスクへの記録を行うべく光学ヘッド１のレーザー光源を駆動するレーザー駆動回路、１０は未記録ディスクに予め形成されるプリグルーブを光学ヘッド１でトレースすることによりＲＦアンプ２を介して得られるプリグルーブ信号から22.05kHzのウォブル成分を抽出するウォブルデコーダである。該ウォブルデコーダ１０には抽出したウォブル成分からＡＴＩＰ（Absolute Time In Pre-groove）を復調するＡＴＩＰ復調回路１１が備えられている。
【００１８】
１２はディスクを回転駆動するディスクモータ、１３は該ディスクモータ１２の駆動制御を行うモータサーボ回路である。該モータサーボ回路１３は、線速度一定で信号記録されたディスクを再生する際に線速度一定方式で回転制御することが出来ると共に、角速度一定方式で回転制御可能となっており、また、ディスクの記録時において、ウォブルデコーダ１０により抽出されたウォブル成分を用いてディスクの回転制御を行う。
【００１９】
１４はディスクの記録及び再生に係るシステム制御を行うシステム制御回路である。該システム制御回路１４は、プログラムエリアに記録する記録データに関するトラック情報を管理するトラック情報管理手段１５と、該トラック情報管理手段１５により管理されたトラック情報を記憶するトラック情報メモリ１６と、ＰＭＡの記録中のエラーを検出し、記録不能状態を判断する記録不能判断手段１７と、該記録不能判断手段１７による記録不能判断に応じてクローズ処理の実行を制御するクローズ制御手段１８とを備えている。
【００２０】
次に、このように構成されるディスク記録装置の記録動作について説明する。
【００２１】
接続端子５に接続されるホスト機器から記録を要求するデータが送信されると、そのデータはインタフェース４により受信され、バッファＲＡＭ７に書き込まれる。
【００２２】
バッファＲＡＭ７に書き込まれたデータの備蓄量がエンコーダ６によりエンコード処理を開始するデータ容量に達すると、バッファＲＡＭ７からデータが読み出され、エンコーダ６によりＥＦＭ（Eight to Fourteen Modulation）フレーム単位でディスクに記録するべき形態の記録データ（ＥＦＭデータ）に変調される。
【００２３】
エンコーダ６から出力される記録データに基づいてヘッド出力制御回路８によりレーザー駆動回路９が制御され、ヘッド出力制御回路８により設定される発光出力により前記エンコーダ６からの記録データに基づいて光学ヘッド１のレーザー光源がレーザー駆動回路９により駆動され、それにより記録データがディスクに記録される。
【００２４】
ところで、プログラムエリアにディスク記録が行われると、トラック情報管理手段１５はディスク記録時にエンコーダ６により生成される記録データに対応するサブコードアドレスやエンコーダ６に入力される入力データに基づいて記録中トラックのスタートアドレス及びエンドアドレスやコントロールデータによりトラック情報を抽出し、そのトラック情報をトラック情報メモリ１６に記憶して管理する。
【００２５】
ディスク記録がトラック単位で終了されると、記録が終了されたトラックに対応するトラック情報がＰＭＡに記録される。そして、ディスクに記録した記録データのトラックで今までに記録した記録データのセッションがクローズされる場合は、クローズ制御手段１８が作動し、ＰＭＡに記録されたトラック情報が再生され、再生されたトラック情報に基づいてＴＯＣデータが作成され、そのＴＯＣデータがリードイン領域に記録されると共に、リードアウト領域が作成され、セッションがクローズされる。
【００２６】
次に、ＰＭＡの記録不能状態の検出について説明する。
【００２７】
ＰＭＡの記録の実行中において、記録不能判断手段１７はＡＴＩＰ復調回路１１により復調されるＡＴＩＰ同期信号の検出タイミングとエンコーダ６から出力されるトラック情報の記録データに含まれているサブコードの同期信号の発生タイミングとの時間ズレを計測し、計測された時間ズレが予め設定された許容範囲を外れることによりＰＭＡの記録中のエラーを検出する。
【００２８】
この場合、本来所定の許容範囲内で同期されるはずのＡＴＩＰの同期信号と、記録データに含まれているサブコードの同期信号との同期ズレにより記録が行えなくなることが検出され、記録速度の高速化に伴い、ディスクモータ１２の加減速トルクの不足に起因してディスクの回転むらにより記録が出来ない状態に対応される。
【００２９】
また、ＰＭＡの記録の実行中において、記録不能判断手段１７はＡＴＩＰ復調回路１１に備えられるＣＲＣチェック回路１９により検出されるＡＴＩＰアドレスのエラーが連続して発生される回数をカウントし、その回数が予め記録不可状態になるとして設定された回数に達したことを検出してＰＭＡの記録中のエラーを検出する。
【００３０】
更に、記録不能判断手段１７はＡＴＩＰ復調回路１１により復調されるＡＴＩＰアドレスの連続性を監視し、トラック飛びによるＰＭＡの記録中のエラーを検出する。これらによりＡＴＩＰアドレスのエラーにより記録が出来ない状態に対応される。
【００３１】
記録不能判断手段１７によりＰＭＡの記録が失敗したと判断されると、クローズ制御手段１８が作動し、この場合、ＰＭＡに記録されたトラック情報を再生せずにトラック情報メモリ１６に記憶されるトラック情報に基づいてＴＯＣデータが作成され、そのＴＯＣデータがリードイン領域に記録されると共に、リードアウト領域が作成され、セッションがクローズされる。
【００３２】
ここで、トラック情報メモリ１６に記憶されるトラック情報は、電源の遮断時及びディスク搬出操作時に消去されるようになっており、同一ディスクで記録を継続している期間中は保存されているので、ＰＭＡの記録失敗によりセッションがクローズされる場合、トラック情報メモリ１６には記録中のディスクに今までプログラムエリアに記憶した記録データの全てのトラック情報が記憶されている。その為、セッションがクローズされるリードイン領域にはそのセッションの全てのトラック情報に基づいて生成されるＴＯＣデータが記録され、そのセッションが正しくクローズされる。
【００３３】
したがって、ＰＭＡの記録が失敗してもセッションがクローズされ、そのセッションが再生不能となることが回避される。
【００３４】
すなわち、マルチセッション記録の場合、ＰＭＡ記録の失敗により強制的にクローズされたセッションの最終トラックまでにディスクに記録された記録データまでの再生が可能となる。
【００３５】
また、音楽用ＣＤ−Ｒ等のディスクアットワンスのシングルセッション記録の場合も同様に、ＰＭＡ記録の失敗により強制的にセッションがクローズされるまでにディスクに記録された最終トラックの記録データまでの再生が可能となる。
【００３６】
【発明の効果】
以上のとおり、本発明は、トラック情報記憶エリアにおける記録不能状態が発生した場合において記録データの記録領域を強制的にクローズ処理するようにしているので、記録不能状態が発生したトラック情報に対応するトラックを含むセッションをクローズ処理することが出来、そのセッションに記録された記録データを再生することが出来る。この場合、ディスクの既記録アドレスの同期信号が検出されるタイミングとサブコードの同期信号が発生されるタイミングとの時間ズレが予め設定された許容範囲を外れることによりトラック情報記憶エリアの記録中のエラーを検出するので、高速記録におけるトラック情報記憶エリアの記録エラーの検出に好適である。
【００３８】
また、ディスクの既記録アドレスのエラーを検出してトラック情報記憶エリアの記録中のエラーを検出するようにすると、ヘッドサーボが正常でも高速記録時にあっては既記録アドレスが読めない状況が発生するので、そのような状況でトラック情報記憶エリアの記録エラーの検出が行え、記録データの記録領域の強制的なクローズ処理が行える。
【図面の簡単な説明】
【図１】本発明に係るディスク記録装置を実現する一例としてＣＤ−Ｒドライブの一実施例を示す回路ブロック図である。
【符号の説明】
１          光学ヘッド
３          デコーダ
４          インタフェース
６          エンコーダ
１０          ウォブルデコーダ
１１          ＡＴＩＰ復調回路
１５          トラック情報管理手段
１６          トラック情報メモリ
１７          記録不能判断手段
１８          クローズ制御手段
【図１】
0003895901.tif 000002